(57)【要約】  本発明に係る冷凍冷蔵庫は、冷凍冷蔵庫本体（１）と、冷凍冷蔵庫本体（１）が断熱壁により区切られて構成され、冷凍温度帯よりも高い温度に保持される冷蔵貯蔵室（２、３）を含む異なる２以上の温度帯に保持される複数の貯蔵室（２、３、４）と、冷却器（５）と、冷却器（５）によって冷却された冷気を貯蔵室（２、３、４）へ送る冷却器ファン（６）と、冷却器（５）の下に設けられた除霜ヒータ（１６）と、冷蔵貯蔵室（２、３）から冷却器（５）へ冷気を送る冷蔵貯蔵室戻り風路（１０）と、冷蔵貯蔵室戻り風路（１０）の冷却器（５）側の出口に設置された戻り風路ダンパ（１３）と、を備える。
2016129050.tif 000002
【特許請求の範囲】
【請求項１】
冷凍冷蔵庫本体と、
前記冷凍冷蔵庫本体が断熱壁により区切られて構成され、冷凍温度帯よりも高い温度に保持される冷蔵貯蔵室を含む異なる２以上の温度帯に保持される複数の貯蔵室と、
冷却器と、
前記冷却器によって冷却された冷気を前記貯蔵室へ送る冷却器ファンと、
前記冷却器の下に設けられた除霜ヒータと、
前記冷蔵貯蔵室から前記冷却器へ冷気を送る冷蔵貯蔵室戻り風路と、
前記冷蔵貯蔵室戻り風路の前記冷却器側の出口に設置された戻り風路ダンパと、を備える冷凍冷蔵庫。
【請求項２】
前記貯蔵室のうち冷凍温度帯に保持される冷凍室から前記冷却器へ冷気を送る冷凍室戻り風路を更に備え、
前記冷凍室戻り風路の前記冷却器側の出口上端は、
前記除霜ヒータの下端より下に位置し、
前記冷蔵貯蔵室戻り風路の出口下端は、
前記除霜ヒータの下端と同じ高さ、又は前記除霜ヒータの下端よりも高い位置に配置される、請求項１に記載の冷凍冷蔵庫。
【請求項３】
前記冷却器から前記冷蔵貯蔵室へ冷気を送る送風路と、
前記送風路内に設置された送風路ダンパと、を更に備え、
除霜運転時に、前記送風路ダンパ及び前記戻り風路ダンパが閉じられ、
前記冷却器ファンが停止する請求項１又は２に記載の冷凍冷蔵庫。
【請求項４】
前記戻り風路ダンパは、
前記戻り風路ダンパの扉を開けた時の扉停止位置を水平以外とする、請求項１から３の何れか１項に記載の冷凍冷蔵庫。
【請求項５】
前記冷蔵貯蔵室は、
冷蔵室と、
前記冷蔵室よりも前記冷凍冷蔵庫本体の下部に配置され、前記冷蔵室より高い温度に保持される野菜室と、
前記冷蔵室と前記野菜室とを連通する風路と、を備え、
前記冷蔵貯蔵室戻り風路は、
前記野菜室と前記冷却器を接続する、請求項１から４の何れか１項に記載の冷凍冷蔵庫。
【発明の詳細な説明】
【技術分野】
【０００１】
本発明は、ダンパ装置を備えた冷凍冷蔵庫に関するものである。
【背景技術】
【０００２】
従来の冷凍冷蔵庫として、例えば、貯蔵室を循環して冷却器室に流入してきた空気が冷却器にて熱交換されて冷却された後に冷却された空気（冷気）が貯蔵室へ送り出され、貯蔵室へ送り出された空気が貯蔵室内を循環して貯蔵室内を冷却するものがある。冷気を貯蔵室内に循環させるために、冷凍冷蔵庫内には冷却器と各貯蔵庫をつなぐ風路が設けられており、それらのうち食品貯蔵室から冷却器へ冷気を戻す経路である戻り風路にダンパを取り付けた冷凍冷蔵庫が知られている。ここで、貯蔵室を循環した空気は湿気を多く含んでいるため、その湿気を含んだ空気が冷却器室に流入して冷却器で熱交換されると、次第に冷却器に霜が付着する。冷却器に霜が付着すると、フィン間が霜で詰まって冷凍能力が低下するため、定期的に冷却器周辺（主に冷却器下部）に備えられた除霜ヒータに通電し、冷却器を温めることで除霜している。【０００３】
特許文献１には、冷凍冷蔵庫の省エネルギー化をするにあたり、冷却器から食品貯蔵室へ冷気を送る送風路にダンパを設置するだけでなく、食品貯蔵室から冷却器へ冷気を送る戻り風路にもダンパを設け、圧縮機停止時及び除霜運転時にダンパを閉じる冷凍冷蔵庫が開示されている。この技術により、圧縮機停止時に生じる冷却器の温度上昇が食品貯蔵室へ伝わることを抑制している。また、除霜運転時におけるヒータ使用による熱が食品貯蔵室へ伝わることを抑制している。【０００４】
また、特許文献２には、複数の断熱区画を有する冷凍冷蔵庫において、断熱区画と冷却器とを連通する吐出風路及び戻り風路が設けられ、冷凍温度帯よりも高温の断熱区画と冷却器とが連通する戻り風路内にダンパが設けられた冷凍冷蔵庫が開示されている。これは特許文献１に開示された技術による効果に加え、ダンパを冷凍温度帯より高温の断熱区画の戻り風路内に設置することで、ダンパ自身の氷結、着霜を防ぐ効果がある。  
【先行技術文献】
【特許文献】
【０００５】
【特許文献１】特開２００４−６９２４５号公報
【特許文献１】特開２００８−１３８９８１号公報
【発明の概要】
【発明が解決しようとする課題】
【０００６】
冷凍冷蔵庫には、冷却された空気（冷気）を貯蔵室内に循環させるために冷却器と各貯蔵庫をつなぐ風路が設けられている。異なる温度帯の貯蔵室から冷却器へつながっている戻り風路には、冷凍室からの戻り風路に設けられた冷凍室用戻り風路ダンパや、冷蔵室、野菜室からの戻り風路に設けられた冷蔵室用、野菜室用戻り風路ダンパなど、それぞれダンパを設置する構造とすることで、冷気漏れを防ぐ構造となっていた。この構造は、複数のダンパを使用するため、コストがかさむという課題があった。【０００７】
また、冷凍冷蔵庫内に戻り風路ダンパを複数設置することで、戻り風路ダンパを設置するスペースにより食品貯蔵スペースが奪われてしまうという課題もあった。一方、戻り風路ダンパを設置する必要のないように戻り風路出口を除霜ヒータより下部に設けると、冷気の通る風路を大きく（長く）設置しなければならず、食品貯蔵スペースが奪われてしまうという課題があった。【０００８】
また、特許文献１に開示されている技術では、貯蔵室から冷却器への戻り風路ダンパを冷却器の近くに設置している。冷凍温度帯の区画の近くに戻り風路ダンパを配置すると、野菜室からの戻り風路のように戻ってくる冷気の湿度が高い場合には、戻り風路ダンパに結露が発生する。戻り風路ダンパに水滴が付着すると、戻り風路ダンパが閉じる圧縮機停止時に戻り風路ダンパが閉じた状態のまま氷結してしまう。これにより、戻り風路ダンパが開かず、食品貯蔵スペースに冷却風が送られず、食品貯蔵スペースを冷却できなくなってしまうという課題があった。【０００９】
一方、特許文献２に開示されている技術のように、冷凍温度帯より高い貯蔵室の戻り風路に戻り風路ダンパを設置すると、戻り風路ダンパが氷結して戻り風路ダンパが開閉できなくなるという可能性は下がる。しかし、戻り風路ダンパの設置位置が冷却器から離れてしまうため、除霜ヒータの熱が戻り風路を伝わり、ダンパ設置位置までの戻り風路を温めてしまう。これにより、除霜ヒータの熱が効率的に使われないという課題があった。【００１０】
本発明は、上記のような課題を解決するためになされたもので、冷凍温度帯よりも温度の高い貯蔵室（例えば冷蔵室、野菜室）からの戻り風路の冷却器側の出口にダンパを設置し除霜運転時に閉じることにより、冷却器及びその周囲にある除霜ヒータの熱を冷凍温度帯よりも温度の高い貯蔵室へ伝えないことを目的とするものである。
【課題を解決するための手段】
【００１１】
本発明に係る冷凍冷蔵庫は、冷凍冷蔵庫本体と、前記冷凍冷蔵庫本体が断熱壁により区切られて構成され、冷凍温度帯よりも高い温度に保持される冷蔵貯蔵室を含む異なる２以上の温度帯に保持される複数の貯蔵室と、冷却器と、前記冷却器によって冷却された冷気を前記貯蔵室へ送る冷却器ファンと、前記冷却器の下に設けられた除霜ヒータと、前記冷蔵貯蔵室から前記冷却器へ冷気を送る冷蔵貯蔵室戻り風路と、前記冷蔵貯蔵室戻り風路の前記冷却器側の出口に設置された戻り風路ダンパと、を備える。
【発明の効果】
【００１２】
本発明によれば、冷凍温度帯よりも高い温度の貯蔵室（例えば冷蔵室、野菜室）の戻り風路の冷却器側の出口に戻り風路ダンパを設置することにより、冷凍温度帯よりも高い温度の貯蔵室からの戻り風路の出口下端が、除霜ヒータが設置されている位置と同じ高さ、又は高い位置にあっても、冷却器及び除霜ヒータの熱が貯蔵室へ伝わることを防ぐことができ、除霜ヒータの熱により効率的に冷却器を暖めることができる。
【図面の簡単な説明】
【００１３】
【図１】本発明の実施の形態１における冷凍冷蔵庫の正面図である。
【図２】図１におけるＡ−Ａ断面を示す図である。
【図３】図１におけるＢ−Ｂ断面を示す図である。
【図４】本発明の実施形態１における冷凍冷蔵庫の冷凍室を冷凍冷蔵庫正面側から見た図である。
【図５】戻り風路ダンパ扉の動作図である。
【発明を実施するための形態】
【００１４】
実施の形態１．
以下に、図を用いて本実施の形態に係る冷凍冷蔵庫について説明をする。
以下の説明中の「上」「下」「左」「右」は、図１に示される冷凍冷蔵庫正面から見た時の「上」「下」「左」「右」を意味し、「前」は内部に貯蔵部を有する冷凍冷蔵庫本体の開口側、「後」は冷凍冷蔵庫の背面側を意味する。  
【００１５】
図１は、本発明の実施の形態１における冷凍冷蔵庫の正面図である。
本実施の形態に係る冷凍冷蔵庫は、冷凍冷蔵庫本体１を有し、冷凍冷蔵庫本体の内側は食料品等を貯蔵する複数の貯蔵室となっており、断熱機能を持った仕切りにより区切られている。各貯蔵室は、前面側を断熱機能を有する扉により閉塞され、各貯蔵室は冷凍冷蔵庫外部と断熱されている。
【００１６】
食料品等を保存する冷蔵室２は、冷凍冷蔵庫本体１の上部に位置する。冷蔵室２の前面は、冷蔵室扉１９により閉塞されている。冷蔵室扉１９の左側の端部には冷蔵室扉把手３１が設置されており、ユーザーはこの冷蔵室扉把手３１を把持して冷蔵室扉１９の開閉を行う。
【００１７】
野菜室３は、冷蔵室２の下部に位置し、冷蔵室２より温度が高く維持されている。野菜室３の前面は、野菜室扉２０により閉塞されている。野菜室扉２０は、その上端に野菜室扉把手３２が設置されており、野菜室扉把手３２を把持して開閉される。冷凍室４は、野菜室３の下部に位置する。冷凍室４の前面は、冷凍室扉２１により閉塞されている。冷凍室扉２１は、上端に冷凍室扉把手３３が設置されており、冷凍室扉把手３３を把持して開閉される。
【００１８】
なお、本実施の形態に係る冷凍冷蔵庫は、冷蔵室２及び野菜室３、冷凍室４の３つの貯蔵室を持ち、３つの温度帯を保つことができるが、例えば、冷蔵室２よりも低くかつ冷凍室４よりも高い温度帯を保つチルド室等をさらに備えていても良い。また、貯蔵室を２つとし、２つの温度帯（冷蔵室２と冷凍室４）の貯蔵室から構成されていても良い。
さらには、本実施の形態に係る冷凍冷蔵庫は、例えば、製氷室、温度帯の切り替えができる切り替え室などを備えていても良い。
冷蔵室２及び野菜室３、チルド室といった冷凍温度帯よりも高い温度の貯蔵室が、本発明における冷蔵貯蔵室に相当する。
【００１９】
図２は図１におけるＡ−Ａ断面を示す図であり、冷蔵室、野菜室の風路構成を示す図である。
冷凍室４の後ろ側には、冷却器５と、冷却ファン６と、除霜ヒータ１６とが設置されている。冷却ファン６は、冷却器５の上部に位置し、冷却器５により冷却された冷気を各貯蔵室へ送っている。除霜ヒータ１６は、冷却器５よりも下側に位置し、除霜時には除霜ヒータより上側にある冷却器５を加熱する。
冷却器５から冷蔵室２へ連通する冷蔵室冷気送風路７は、冷凍冷蔵庫本体１の後側の面に沿って上方に向かって伸びている。冷蔵室冷気送風路７は、冷蔵室２内の最上部まで伸び、冷気が吐出されるように開口されている。また、冷蔵室２内には、高さ方向に複数の層に仕切り、食料品等を載置できる冷蔵室棚４０ａ−４０ｃが設置されている。冷蔵室棚４０ａ−４０ｃは、例えば、樹脂製又はガラス製である。冷蔵室棚４０ａ−４０ｃにより仕切られた各層が同じように冷却されるように、冷蔵室冷気送風路７の開口４１ａ−４１ｃが設けられている。開口４１ａは、冷蔵室棚４０ａよりも上部に設けられ、開口４１ｂは、冷蔵室棚４０ａと冷蔵室棚４０ｂとの間に設けられ、開口４１ｃは、冷蔵室棚４０ｂと冷蔵室棚４０ｃとの間に設けられている。図中の矢印２３は、冷却器から冷蔵室への冷気の流れを示している。また、図中の矢印２４は、冷蔵室２内の冷気の流れを示している。なお冷蔵室冷気送風路７は、本発明の送風路に相当する。
【００２０】
冷蔵室冷気送風路７内には送風ダンパ１２が設置されている。送風ダンパ１２は、上記の開口４１ａ−４１ｃよりも冷気の流れの上流側（冷却器５側）に設置されている。送風ダンパ１２は、開閉制御が可能となっている。送風ダンパ１２の開閉により、冷却器５から冷蔵室冷気送風路７を通り冷蔵室２内に供給される冷気の量を調整し、冷蔵室２及び野菜室３の温度を調整する。つまり、冷蔵室２及び野菜室３の温度が一定値よりも下がると送風ダンパ１２を閉じ、冷気を送らないようにする。これにより、冷却器５により冷却された冷気を効率的に使用することができ、ひいては冷凍冷蔵庫の消費電力も抑制できる。
【００２１】
冷蔵室２内の下部には野菜室３へ連通している野菜室冷気送風路８が設けられている。冷蔵室２内を下ってきた冷気は、野菜室冷気送風路８から野菜室３内に流れ込む。図中の矢印２５は、野菜室内の冷気の流れをしている。野菜室３の後ろ側の下部には、野菜室３から冷却器５へ冷気を送る野菜室からの戻り風路１０が設置されている。野菜室からの戻り風路１０は、本発明の冷蔵貯蔵室戻り風路に相当するものである。野菜室からの戻り風路１０は、冷凍室４の後ろ側の面を通り、その野菜室からの戻り風路の出口下端１４は、除霜ヒータ１６の下端と同じ高さ、または除霜ヒータ１６の下端より高い位置に配置されている。図中の矢印２６は、野菜室から冷却器への冷気の流れを示している。野菜室からの戻り風路１０の冷却器５側出口には、戻り風路ダンパ１３が設置されている。戻り風路ダンパ１３は、開閉制御が可能となっている。戻り風路ダンパ１３の開閉により、野菜室３から冷却器５へ戻る冷気の量を調整し、冷蔵室２及び野菜室３の温度を調整する。つまり、冷蔵室２及び野菜室３の温度が一定値よりも下がると戻り風路ダンパ１３を閉じ、冷却器５により冷却した冷気が野菜室からの戻り風路１０を伝わり野菜室３側に逃げないようにする。これにより、冷却器５により冷却された冷気を効率的に使用することができ、ひいては冷凍冷蔵庫の消費電力も抑制できる。
【００２２】
なお、本実施の形態においては、冷蔵室２の下部が野菜室３へ連通しているが、例えば、冷蔵室冷気送風路７と同様に、直接冷却器５から野菜室３へ接続し、冷気を野菜室３へ供給する野菜室冷気送風路（図示無し）を備えていても良い。その場合は、野菜室冷気送風路に野菜室送風路ダンパを備え、開閉制御し野菜室３へ送る冷気の量を調整し、野菜室３の温度調整を行う。また、冷蔵室２から冷却器５へ直接接続し、冷蔵室２の冷気を冷却器５へ戻す冷蔵室戻り風路（図示無し）を備えていても良く、この場合は、野菜室からの戻り風路１０と同じく、冷蔵室戻り風路の冷却器５側の出口に冷蔵室戻り風路ダンパ（図示無し）を備える。冷蔵室戻り風路ダンパの開閉により、冷蔵室２から冷却器５へ戻る冷気の量を調整し、冷蔵室２の温度を調整することになる。ただし、これらの構成を取った場合には、冷却器５と各貯蔵室とを接続する風路に設置するダンパの数が増えるため、コストの抑制及び貯蔵室のスペース確保のためには本実施の形態に係る冷凍冷蔵庫の方が有利である。
【００２３】
また、本実施の形態においては、冷凍冷蔵庫の上部から、冷蔵室２、野菜室３、冷凍室４の順に配置されているが、配置の順番はこれだけに限定されない。ただし、例えば、冷凍冷蔵庫の上部から冷蔵室２、冷凍室４、野菜室３という順に配置されていた場合、冷蔵室２と野菜室３とを連通する風路を設ける必要があるため、貯蔵スペース確保のためには本実施の形態に係る冷凍冷蔵庫の方が有利である。
【００２４】
図３は図１におけるＢ−Ｂ断面図を示す図であり、冷凍室４の風路構成を示す図である。
冷却器５は、冷凍室４の後ろ側の空間に配置されている。冷凍室４の上部の後ろ側の面には、冷凍室への冷気送風路９が設けられている。これにより冷却器５から冷凍室４へ冷気が送られる。冷凍室４の下部の後ろ側の面には、冷凍室４から冷却器５へ冷気を送る冷凍室からの戻り風路１１が設けられている。冷凍室からの戻り風路１１の冷却器５側の出口は、ダンパは設けられておらず、常に開放状態になっている。冷凍室４内に示す矢印２７は、冷凍室４内の冷気の流れを示している。冷凍室４から冷却器５への出口上端１５は、除霜ヒータ１６よりも下側に位置するように配置されている。
【００２５】
除霜ヒータ１６の下部には、除霜により冷却器５から落ちてきた水滴を受け止めるドリップトレイ１７が配置されている。ドリップトレイ１７の下部の断熱壁を隔てたスペースに圧縮機１８が配置されている。圧縮機１８は、凝縮器（図示無し）と、減圧器（図示無し）と、冷却器５（蒸発器）と冷媒回路で接続され、貯蔵室内を冷却する冷凍サイクルを構成している。
【００２６】
（冷却運転時の冷凍冷蔵庫及び冷凍冷蔵庫内の冷気の動き）
冷凍冷蔵庫の運転には、冷却運転と除霜運転の２種類が存在する。
ここでは冷却運転時の冷凍冷蔵庫及び冷凍冷蔵庫内の冷気の動きについて説明する。
冷却器５により冷却された冷気は、冷却ファン６により冷蔵室冷気送風路７内へ送り込まれる。冷蔵室冷気送風路７内に設置されている送風ダンパ１２は、開閉可能に制御されており、冷蔵室２及び野菜室３の温度に応じて開閉される。送風ダンパ１２が開けられている時は、冷気は図２に示されている矢印２３のように流れる。冷気は、冷蔵室冷気送風路７に設けられた開口４１ａ−４１ｃから冷蔵室２内へ流入し、図２の矢印２４に示すように冷蔵室２内を流れ、冷却する。
【００２７】
冷蔵室２内を冷却した冷気は、冷蔵室２内を下り、冷蔵室２の下部の後ろ側に設けられている野菜室冷気送風路８へ流入する。野菜室冷気送風路８へ流入した冷気は、図２の矢印２５に示すように野菜室３内を循環し、野菜室３内を冷却する。野菜室３内を下った冷気は、野菜室からの戻り風路１０へ流入する。野菜室冷気送風路８の冷却器５側出口に設けられた戻り風路ダンパ１３は、開閉制御が可能となっており、開状態の時は冷気はここから冷却器５へと戻され再度冷却される。
【００２８】
（除霜運転時の冷凍冷蔵庫及び冷凍冷蔵庫内の空気の動き）
除霜運転時の冷凍冷蔵庫内の冷気の動きについて説明する。
除霜運転時には、まず、冷凍サイクルを構成する圧縮機１８の運転が停止され、冷却器５による冷気の冷却を停止する。その後、送風ダンパ１２及び戻り風路ダンパ１３は閉じられる。冷却ファン６の運転も停止される。そして、除霜ヒータ１６が熱せられ、除霜ヒータ１６周辺の空気が加熱される。加熱された空気は、冷却器５に付着した霜を加熱し融かす。霜が融けてできた水滴は、冷却器５の真下方向に設置されているドリップトレイ１７に落ちる。
除霜運転終了後には送風ダンパ１２及び戻り風路ダンパ１３は開き、圧縮機１８の運転も再開される。
【００２９】
野菜室からの戻り風路１０に戻り風路ダンパ１３が設置されているため、野菜室からの戻り風路の出口下端１４が除霜ヒータ１６と同じ高さまたは高い位置にあっても、除霜運転時に除霜ヒータ１６により熱せられた空気が、野菜室３へ流れ込むことを防ぐことができる。これにより、除霜ヒータ１６の熱が野菜室からの戻り風路１０へ伝わることなく、除霜ヒータ１６の熱は効率的に冷却器５の除霜に使われる。
【００３０】
また、送風ダンパ１２が閉じられることにより、除霜ヒータ１６により熱せられた冷気が冷蔵室冷気送風路７を伝わって冷蔵室２へ流入することがないため、除霜ヒータ１６の熱が冷蔵室２及び野菜室３へ伝わりにくくなっている。このように、除霜ヒータ１６の熱が冷却器５へ向けられる構造となっているため除霜時間短縮が可能となる。
【００３１】
冷凍室４から冷却器５への出口上端１５が除霜ヒータ１６より低い位置に配置されていることで、除霜時に除霜ヒータ１６により熱せられた空気が自然対流により冷凍室からの戻り風路１１に流れ込むのを防ぐ。これにより、熱が冷凍室４へ逃げることなく、効率的に冷却器５に付着した霜を溶かすことができる。
また、冷凍室からの戻り風路１１の出口を上記のように配置することで、冷凍室からの戻り風路１１に戻り風路ダンパを設置する必要がなくなるため、コストを抑えることができ、貯蔵スペースの縮小も抑えることができる。
【００３２】
図４は、本発明の実施形態１における冷凍冷蔵庫の冷凍室４を冷凍冷蔵庫正面側から見た図である。冷却器５及び除霜ヒータ１６、冷凍室からの戻り風路１１、野菜室からの戻り風路１０の位置関係を表している。
冷凍室４の後ろ側に冷却器５が配置されている。野菜室からの戻り風路１０は、冷凍室４の後ろ側に配置されており、冷凍室４との間には断熱壁がある。野菜室からの戻り風路１０には、冷却器５へ冷気を戻すための出口設置されている。野菜室からの戻り風路の出口下端１４は、冷却器５の下側に設置されている除霜ヒータ１６と同じ高さに出口が設けられている。野菜室からの戻り風路の出口には野菜室からの戻り風路ダンパ１３が設置されている。除霜ヒータ１６より下部には、冷凍室４から冷却器５への風路の出口が設置され、冷凍室４から冷却器５へ冷気を戻している。矢印２８は、冷凍室４から冷却器５へ戻る冷気の流れを示している。冷凍室４から冷却器５への出口上端１５は、除霜ヒータ１６よりも低い位置になるように設置されている。
【００３３】
野菜室からの戻り風路ダンパ１３は、野菜室からの戻り風路１０の冷却器５側の出口に設置しているため、冷却器５により冷却され氷結する可能性がある。それは、湿度の高い野菜室３の冷気が、冷却器５に近く、温度の低い戻り風路ダンパ１３にて結露してしまい、その結露による水滴が氷結するためである。これにより戻り風路ダンパ１３の扉が開閉動作ができなくなる可能性があった。
しかし、戻り風路ダンパ１３が氷結したとしても、戻り風路ダンパ１３は、除霜ヒータ１６の下端と同じ高さまたは高い位置に配置されているため、除霜運転時には除霜ヒータ１６の熱せられた空気が自然対流により戻り風路ダンパ周辺へ移動し、氷結箇所が溶ける。これにより戻り風路ダンパ１３は、再び開閉動作をすることが可能となる。
【００３４】
なお、野菜室からの戻り風路の出口下端１４は、除霜ヒータ１６よりも高い位置に設置されていても良い。ただし、野菜室からの戻り風路の出口は、冷却器５の下端よりも低い位置（除霜ヒータ１６に近い側）に設置されていることが望ましい。例えば、野菜室からの戻り風路の出口が、冷却器５と同じ高さに設置されている場合、通常運転時には冷却器５により戻り風路ダンパ１３が氷結しやすくなり、除霜運転時には除霜ヒータ１６からの距離が離れるため、戻り風路ダンパ１３の氷結を融かすのに時間がかかるためである。そのため、除霜運転時の除霜の効率をより良くするためには、本実施の形態に係る冷凍冷蔵庫の方が有利である。
【００３５】
図５は、戻り風路ダンパ扉の動作図である。
野菜室からの戻り風路１０の冷却器５側の出口には戻り風路ダンパ１３が設置されている。戻り風路ダンパ１３の扉２２は、開閉が可能となっている。扉２２が閉じられている時は、図５に示すように、扉２２ａは、野菜室からの戻り風路１０に対し垂直になって戻り風路ダンパ外枠２９の内側に収まり、野菜室３から冷却器５への冷気の流れ２６を遮断している。同時に冷却器５及び除霜ヒータ１６側の空気が野菜室３側に流れないように遮断している。野菜室からの戻り風路１０の冷却器５側の出口の上部には、戻り風路ダンパ基板部外枠３０が設置されている。
また、戻り風路ダンパ１３の扉２２が開いているときは、図５に示す扉２２ｂのように、水平以外の角度に保持された状態で、野菜室３から冷却器５への冷気の流れ２６を冷却器５側へ通すことが可能になっている。
【００３６】
このように、戻り風路ダンパの扉２２の開閉時の角度を水平以外とすることで、戻り風路ダンパの扉２２に水滴がついても、重力により水滴がドリップトレイ１７に落ちやすくなっている。水滴を扉２２から落ちやすくすることにより、扉２２が冷却器５に近く温度が低い場所に配置されているが、扉２２が氷結しにくい構造となっており、扉２２の開閉動作に支障が発生しにくい。
【符号の説明】
【００３７】
１  冷凍冷蔵庫本体、２  冷蔵室、３  野菜室、４  冷凍室、５  冷却器、６  冷却ファン、７  冷蔵室冷気送風路、８  野菜室冷気送風路、９  冷凍室への冷気送風路、１０  野菜室からの戻り風路、１１  冷凍室からの戻り風路、１２  送風ダンパ、１３  戻り風路ダンパ、１４  野菜室からの戻り風路の出口下端、１５  冷凍室から冷却器への出口上端、１６  除霜ヒータ、１７  ドリップトレイ、１８  圧縮機、１９  冷蔵室扉、２０  野菜室扉、２１  冷凍室扉、２２  戻り風路ダンパ扉、２２a  戻り風路ダンパ扉、２２b  戻り風路ダンパ扉、２３  （冷却器から冷蔵室への冷気の流れを示す）矢印、２４  （冷蔵室の冷気の流れを示す）矢印、２５  （野菜室の冷気の流れを示す）矢印、２６  （野菜室から冷却器への冷気の流れを示す）矢印、２７  （冷凍室の冷気の流れを示す）矢印、２８  （冷凍室から冷却器への冷気の流れを示す）矢印、２９  戻り風路ダンパ外枠、３０  戻り風路ダンパ基板部外枠、３１  冷蔵室扉把手、３２  野菜室扉把手、３３  冷凍室扉把手、４０ａ  冷蔵室棚、４０ｂ  冷蔵室棚、４０ｃ  冷蔵室棚、４１ａ  開口、４１ｂ  開口、４１ｃ  開口。
【図１】
2016129050.tif 000003
【図２】
2016129050.tif 000004
【図３】
2016129050.tif 000005
【図４】
2016129050.tif 000006
【図５】
2016129050.tif 000007
【国際調査報告】
2016129050.tif 000008
2016129050.tif 000009
2016129050.tif 000010
2016129050.tif 000011